(57)【特許請求の範囲】
【請求項１】
携帯電話機との間でハンズフリー通信プロトコルを接続するハンズフリー接続手段と、
前記ハンズフリー接続手段との間でハンズフリー通信プロトコルを接続している携帯電話機から当該携帯電話機に登録されている着信音を受信する着信音受信手段と、
前記ハンズフリー接続手段との間でハンズフリー通信プロトコルを接続している携帯電話機が通話中にあるときに当該通話中にある携帯電話機から受信した受話音声を受話音声出力手段から出力させ、前記ハンズフリー接続手段との間でハンズフリー通信プロトコルを接続している携帯電話機が着信したときに当該着信した携帯電話機から前記着信音受信手段に受信された当該着信した携帯電話機に登録されている着信音を着信音出力手段から出力可能な制御手段と、
着信音を生成する着信音生成手段とを備え、
前記制御手段は、前記ハンズフリー接続手段との間でハンズフリー通信プロトコルを同時に接続している複数の携帯電話機のうち一の携帯電話機が通話中にあるときに他の携帯電話機が着信した場合に、通話中にある一の携帯電話機から受信した受話音声を受話音声出力手段から出力させると同時に、着信した他の携帯電話機から前記着信音受信手段に受信された当該着信した他の携帯電話機に登録されている着信音を前記着信音出力手段から出力させることなく、前記着信音生成手段により生成された着信音を前記着信音出力手段から出力させ、前記他の携帯電話機への着信が継続しており前記一の携帯電話機が通話を終了した場合に、前記着信音生成手段により生成された着信音を前記着信音出力手段から出力させることなく、前記着信した他の携帯電話機から前記着信音受信手段に受信された当該着信した他の携帯電話機に登録されている着信音を前記着信音出力手段から出力させることを特徴とする車載ハンズフリー装置。
【請求項２】
携帯電話機との間でハンズフリー通信プロトコルを接続するハンズフリー接続手段と、
前記ハンズフリー接続手段との間でハンズフリー通信プロトコルを接続している携帯電話機から当該携帯電話機に登録されている着信音を受信する着信音受信手段と、
前記ハンズフリー接続手段との間でハンズフリー通信プロトコルを接続している携帯電話機が通話中にあるときに当該通話中にある携帯電話機から受信した受話音声を受話音声出力手段から出力させ、前記ハンズフリー接続手段との間でハンズフリー通信プロトコルを接続している携帯電話機が着信したときに当該着信した携帯電話機から前記着信音受信手段に受信された当該着信した携帯電話機に登録されている着信音を着信音出力手段から出力可能な制御手段と、
着信音を生成する着信音生成手段とを備え、
前記制御手段は、前記ハンズフリー接続手段との間でハンズフリー通信プロトコルを接続している何れかの携帯電話機が着信した時点で既に通話中の携帯電話機が存在する旨を判定すると、着信した携帯電話機と通話中にある携帯電話機とが同じであるか否かを判定し、着信した携帯電話機と通話中にある携帯電話機とが異なる旨を判定し、前記ハンズフリー接続手段との間でハンズフリー通信プロトコルを同時に接続している複数の携帯電話機のうち一の携帯電話機が通話中にあるときに他の携帯電話機が着信した場合に、通話中にある一の携帯電話機から受信した受話音声を受話音声出力手段から出力させると同時に、着信した他の携帯電話機から前記着信音受信手段に受信された当該着信した他の携帯電話機に登録されている着信音を前記着信音出力手段から出力させることなく、前記着信音生成手段により生成された着信音を前記着信音出力手段から出力させ、着信した携帯電話機と通話中にある携帯電話機とが同じである旨を判定し、前記ハンズフリー接続手段との間でハンズフリー通信プロトコルを接続している携帯電話機が通話中にあるときに着信した場合に、着信した携帯電話機から前記着信音受信手段に受信された通信網から送信された着信音を前記着信音出力手段から出力させることを特徴とする車載ハンズフリー装置。
【請求項３】
請求項１または２に記載した車載ハンズフリー装置において、
異機割込着信通知を有効及び無効のいずれかに設定する異機割込着信通知設定手段を備え、
前記制御手段は、前記異機割込着信通知設定手段が異機割込着信通知を有効に設定している場合に、前記着信音生成手段により生成された着信音を前記着信音出力手段から出力させ、前記異機割込着信通知設定手段が異機割込着信通知を無効に設定している場合に、前記着信音生成手段により生成された着信音を前記着信音出力手段から出力させないことを特徴とする車載ハンズフリー装置。
【請求項４】
請求項３に記載した車載ハンズフリー装置において、
ユーザが異機割込着信通知の有効及び無効のいずれかを選択するために操作する異機割込着信通知選択操作手段を備え、
前記異機割込着信通知設定手段は、ユーザが前記異機割込着信通知選択操作手段を操作して選択した異機割込着信通知の有効及び無効のいずれかを設定することを特徴とする車載ハンズフリー装置。
【請求項５】
請求項１ないし４のいずれかに記載した車載ハンズフリー装置において、
前記着信音生成手段は、前記ハンズフリー接続手段との間でハンズフリー通信プロトコルを接続している携帯電話機が通話中にあるときに当該携帯電話機が着信した場合に通信網から送信されて前記着信音出力手段から出力される着信音とは異なる着信音を生成することを特徴とする車載ハンズフリー装置。
【請求項６】
請求項１ないし５のいずれかに記載した車載ハンズフリー装置において、
ユーザが着信音を選択するために操作する着信音選択操作手段を備え、
前記着信音生成手段は、ユーザが前記着信音選択操作手段を操作して選択した着信音を生成することを特徴とする車載ハンズフリー装置。
【発明の詳細な説明】
【技術分野】
【０００１】
本発明は、複数の携帯電話機の各々との間でハンズフリー通信プロトコルを同時に接続することが可能に構成されてなる車載ハンズフリー装置に関する。
【背景技術】
【０００２】
従来より、車室内に持込まれた携帯電話機との間でハンズフリープロファイルを接続してハンズフリー機能を実現する車載ハンズフリー装置が供されている（例えば特許文献１参照）。
【特許文献１】特開２００６−９４４７７号公報
【発明の開示】
【発明が解決しようとする課題】
【０００３】
近年では、例えばプライベート用の携帯電話機と仕事用の携帯電話機との複数の携帯電話機を同時に携帯するユーザも珍しくない。このような事情から、複数の携帯電話機が車室内に持込まれた場合であっても、それら複数の携帯電話機の全てがハンズフリー待受可能となるように、複数の携帯電話機の各々との間でハンズフリープロファイルを同時に接続する（いわゆるマルチプロファイル接続する）機能を有する車載ハンズフリー装置が要望されている。
【０００４】
ところで、このような複数の携帯電話機の各々との間でハンズフリープロファイルを同時に接続する車載ハンズフリー装置が実現された場合、ハンズフリープロファイルを同時に接続している複数の携帯電話機のうち一の携帯電話機が通話中にあるときに他の携帯電話機が着信する場合もあり得る。その場合、着信した携帯電話機がインバンドリングトーンに対応している型であると、車載ハンズフリー装置においては、着信した携帯電話機から当該携帯電話機に登録されている着信音を受信してしまうことにより、通話中にある携帯電話機から受信した受話音声をスピーカから出力させると同時に、着信した携帯電話機から受信した着信音をもスピーカから出力させることになる。
【０００５】
しかしながら、このように、通話中にある携帯電話機から受信した受話音声を出力させると同時に、着信した携帯電話機から受信した着信音をも出力させる構成では、通話中にある携帯電話機から受信した受話音声をユーザが聴き取るのに支障が生じ、使い勝手に劣るという問題が発生すると想定される。
【０００６】
本発明は、上記した事情に鑑みてなされたものであり、その目的は、ハンズフリー通信プロトコルを同時に接続している複数の携帯電話機のうち一の携帯電話機が通話中にあるときに他の携帯電話機が着信した場合に、通話中にある一の携帯電話機から受信した受話音声を適切にユーザに聴き取らせることができると共に、他の携帯電話機が着信した旨をユーザに適切に認識させることができ、ユーザの使い勝手を高めることができる車載ハンズフリー装置を提供することにある。
【課題を解決するための手段】
【０００７】
請求項１に記載した発明によれば、制御手段は、ハンズフリー接続手段との間でハンズフリー通信プロトコルを同時に接続している複数の携帯電話機のうち一の携帯電話機が通話中にあるときに他の携帯電話機が着信すると、通話中にある一の携帯電話機から受信した受話音声を受話音声出力手段から出力させると同時に、着信した他の携帯電話機から着信音受信手段に受信された当該着信した他の携帯電話機に登録されている着信音を着信音出力手段から出力させることなく、着信音生成手段により生成された着信音を着信音出力手段から出力させる。
【０００８】
これにより、着信した他の携帯電話機から当該他の携帯電話機に登録されている着信音を受信した場合であっても、その着信した他の携帯電話機に登録されている着信音を出力させるのではなく、通話中にある一の携帯電話機から受信した受話音声を出力させると同時に、着信音生成手段が生成した着信音を出力させるので、着信音生成手段が生成する着信音として受話音声をユーザに聴き取らせるのに支障がなく且つ着信を通知し得る程度の着信音（例えば所定周波数帯域の単一音）を登録しておくことにより、通話中にある一の携帯電話機から受信した受話音声を適切にユーザに聴き取らせることができると共に、他の携帯電話機が着信した旨をユーザに適切に認識させることができ、ユーザの使い勝手を高めることができる。
また、制御手段は、他の携帯電話機への着信が継続しており一の携帯電話機が通話を終了すると、着信音生成手段により生成された着信音を着信音出力手段から出力させることなく、着信した他の携帯電話機から着信音受信手段に受信された当該着信した他の携帯電話機に登録されている着信音を着信音出力手段から出力させる。これにより、一の携帯電話機が通話を終了すると、着信音生成手段により生成された着信音を出力させることに代えて、着信した他の携帯電話機に登録されている着信音を出力させることにより、他の携帯電話機が着信した旨をユーザに確実に認識させることができる。
【０００９】
請求項３に記載した発明によれば、制御手段は、異機割込着信通知設定手段が異機割込着信通知を有効に設定していると、着信音生成手段により生成された着信音を着信音出力手段から出力させ、一方、異機割込着信通知設定手段が異機割込着信通知を無効に設定していると、着信音生成手段により生成された着信音を着信音出力手段から出力させない。これにより、異機割込着信通知を有効に設定していることにより、通話中にある一の携帯電話機から受信した受話音声を適切にユーザに聴き取らせることができると共に、他の携帯電話機が着信した旨をユーザに適切に認識させることができ、一方、異機割込着信通知を無効に設定していることにより、他の携帯電話機が着信した旨をユーザに認識させないようにすることができ、ユーザを通話に専念させることができる。
【００１０】
請求項４に記載した発明によれば、異機割込着信通知設定手段は、ユーザが異機割込着信通知選択操作手段を操作して選択した異機割込着信通知の有効及び無効のいずれかを設定する。これにより、ハンズフリー接続手段との間でハンズフリー通信プロトコルを同時に接続している複数の携帯電話機のうち一の携帯電話機が通話中にあるときに他の携帯電話機が着信した場合に着信音生成手段により生成された着信音を着信音出力手段から出力させるか否かをユーザに選択させることができる。
【００１２】
請求項５に記載した発明によれば、着信音生成手段は、ハンズフリー接続手段との間でハンズフリー通信プロトコルを接続している携帯電話機が通話中にあるときに当該携帯電話機が着信した場合に通信網から送信されて着信音出力手段から出力される着信音とは異なる着信音を生成する。これにより、単に着信をユーザに認識させることができるだけでなく、その着信が通話中にある携帯電話機とは異なる携帯電話機への着信であるのか或いは通話中にある携帯電話機への着信であるのかをユーザに認識させることができる。
【００１３】
請求項６に記載した発明によれば、着信音生成手段は、ユーザが着信音選択操作手段を操作して選択した着信音を生成する。これにより、着信音生成手段により生成される着信音をユーザに選択させることができる。
【発明を実施するための最良の形態】
【００１４】
以下、本発明の一実施形態について、図面を参照して説明する。尚、ここでは、複数の携帯電話機としてＢｌｕｅｔｏｏｔｈ（登録商標）（以下、ＢＴと称する）通信機能を有する２台のＢＴ対応の携帯電話機（以下、携帯電話機と称する）が車室内に持込まれた場合を説明する。
【００１５】
車載ハンズフリー装置１は、車両に搭載され、制御部２（本発明でいう制御手段、異機割込着信通知設定手段）と、ＢＴインタフェース部３（本発明でいうハンズフリー接続手段、着信音受信手段）と、通話音声処理部４と、記憶部５と、表示制御部６と、タッチ操作入力部７と、着信音生成部８（本発明でいう着信音生成手段）とを備えて構成されている。
【００１６】
制御部２は、ＣＰＵ、ＲＡＭ、ＲＯＭ及びＩ／Ｏバスなどを有し、車載ハンズフリー装置１の通信動作やデータ管理動作などの動作全般を制御する。ＢＴインタフェース部３は、ＢＴの通信規格により規格化されているハンズフリー通話を行うためのハンズフリープロファイル（ＨＦＰ（Hands Free Profile））（本発明でいうハンズフリー通信プロトコル）及び電話帳データや発信履歴データや着信履歴データの転送を行うためのフォンブックアクセスプロファイル（ＰＢＡＰ（Phone Book Access Profile））に対応しており、複数のＢＴ対応の携帯電話機の各々との間でハンズフリープロファイルを同時に接続する（いわゆるマルチプロファイル接続する）ことが可能である。
【００１７】
すなわち、各々がＢＴ通信機能を有する携帯電話機２１及び携帯電話機２２が車室内に持込まれ、携帯電話機２１及び携帯電話機２２がＢＴインタフェース部３により形成されているＢＴ通信圏内に存在していれば、ＢＴインタフェース部３は、それらＢＴ通信圏内に存在している携帯電話機２１及び携帯電話機２２との間でハンズフリープロファイルを同時に接続する。尚、これらプロファイルは、機能毎に定義された通信プロトコルを意味している。
【００１８】
通話音声処理部４は、車室内にあって例えばハンドルの近傍などのユーザが発した音声を集音し易い部位に配置されているマイクロホン９を接続していると共に、車載ハンズフリー装置１の外部に配置されているオーディオアンプ１０を接続している。通話音声処理部４は、車室内に持込まれた携帯電話機２１及び携帯電話機２２のうちいずれかを用いたハンズフリー通話を行う場合に、ユーザが発した音声をマイクロホン９から送話音声として入力すると、その入力した送話音声を音声処理してＢＴインタフェース部３に出力し、ＢＴインタフェース部３から受話音声を入力すると、その入力した受話音声をオーディオアンプ１０に出力する。オーディオアンプ１０は、通話音声処理部４から受話音声を入力すると、その入力した受話音声を増幅してスピーカ１１（本発明でいう受話音声出力手段、着信音出力手段）及びスピーカ１２（本発明でいう受話音声出力手段、着信音出力手段）から出力させる。
【００１９】
スピーカ１１及びスピーカ１２は、車載ハンズフリー装置１を搭載している車両の全長方向を対称中心して左右対称に配置されている。スピーカ１１は例えば運転席ドアに配置され、スピーカ１２は例えば助手席ドアに配置されている。尚、オーディオアンプ１０は、チューナーデッキ１３にも接続されており、チューナーデッキ１３が例えば音楽用記録媒体から再生した楽曲音やラジオ放送局から受信したラジオ番組を当該チューナーデッキ１３から入力すると、それら入力した楽曲音やラジオ番組を増幅してスピーカ１１及びスピーカ１２から出力させる。
【００２０】
記憶部５は、各種データを記憶可能に構成されており、電話番号と登録名との対応を表す電話帳データ、車載ハンズフリー装置１からの発信或いは当該車載ハンズフリー装置１との間でハンズフリープロファイルを接続している携帯電話機２１或いは携帯電話機２２からの発信に係る発信時刻と発信電話番号との対応を表す発信履歴データ、車載ハンズフリー装置１との間でハンズフリープロファイルを接続している携帯電話機２１或いは携帯電話機２２における着信に係る着信時刻と着信電話番号との対応を表す着信履歴データを記憶可能に構成されている。
【００２１】
ディスプレイ装置１４は、表示画面を表示する表示装置１５と、表示画面上にタッチスイッチを形成するタッチ操作入力装置１６（本発明でいう異機割込着信通知選択操作手段、着信音選択操作手段）とを備えて構成されている。表示制御部６は、制御部２から表示指令信号を入力すると、その入力した表示指令信号に基づいてディスプレイ装置１４における表示装置１５の表示動作を制御する。タッチ操作入力部７は、ユーザが表示画面上に形成されているタッチスイッチを操作したことに応じてタッチ操作入力装置１６から操作検知信号を入力すると、その操作検知信号を制御部２に出力し、制御部２は、タッチ操作入力部７から操作検知信号を入力すると、その操作検知信号に解析して処理を行う。
【００２２】
この場合、ユーザは、タッチスイッチを操作して異機割込着信通知を有効及び無効のいずれかを選択することにより、車載ハンズフリー装置１との間でハンズフリープロファイルを接続している携帯電話機２１及び携帯電話機２２のうち一方が通話中にあるときに他方が着信したときに当該異機割込着信を通知するか否かを選択することができ、制御部２は、ユーザがタッチスイッチを操作して選択した異機割込着信通知の有効及び無効のいずれかを設定している。
【００２３】
着信音生成部８は、所定周波数帯域の単一音を着信音として生成する。この場合、ユーザは、タッチスイッチを操作して複数の着信音のうちいずれかを選択することができ、制御部２は、ユーザがタッチスイッチを操作して選択した着信音を着信音生成部８により生成する。
【００２４】
上記した携帯電話機２１及び携帯電話機２２の種別としては、インバンドリングトーンに対応している（着信音を転送する機能を有する）型とインバンドリングトーンに対応していない（着信音を転送する機能を有しない）型とがある。すなわち、携帯電話機２１及び携帯電話機２２は、インバンドリングトーンに対応している型であれば、車載ハンズフリー装置１との間でハンズフリープロファイルを接続している状態で携帯電話網３１から着信信号を受信すると、着信通知信号及び自機を識別する識別情報（例えば自機に登録されている電話番号など）を車載ハンズフリー装置１に送信すると共に、自機に登録されている着信音をも車載ハンズフリー装置１に送信する。一方、携帯電話機２１及び携帯電話機２２は、インバンドリングトーンに対応していない型であれば、車載ハンズフリー装置１との間でハンズフリープロファイルを接続している状態で携帯電話網３１から着信信号を受信すると、着信通知信号及び自機を識別する識別情報を車載ハンズフリー装置１に送信するが、自機に登録されている着信音を車載ハンズフリー装置１に送信することはない。
【００２５】
制御部２は、携帯電話機２１及び携帯電話機２２から着信通知信号及び識別情報と共に着信音を受信すると、その受信した着信音（携帯電話機２１及び携帯電話機２２に登録されている着信音）をスピーカ１１及びスピーカ１２から出力させることにより、携帯電話機２１及び携帯電話機２２が着信した旨を通知し、一方、携帯電話機２１及び携帯電話機２２から着信通知信号及び識別情報を受信するが着信音を受信しないと、着信音を着信音生成部８により生成し、その生成した着信音をスピーカ１１及びスピーカ１２から出力させることにより、携帯電話機２１及び携帯電話機２２が着信した旨を通知する。
【００２６】
次に、上記した構成の作用について、図２ないし図４を参照して説明する。図２及び図３は、車載ハンズフリー装置１の制御部２が行う処理をフローチャートとして示している。
【００２７】
車載ハンズフリー装置１において、制御部２は、着信処理を開始すると、携帯電話機２１及び携帯電話機２２のうちいずれかから着信通知信号をＢＴインタフェース部３により受信したか否かを判定し、携帯電話機２１及び携帯電話機２２のうちいずれかが着信したか否かを判定する（ステップＳ１）。
【００２８】
ここで、制御部２は、携帯電話機２１及び携帯電話機２２のうちいずれかが着信した旨を判定すると（ステップＳ１にて「ＹＥＳ」）、その時点で既に通話中の携帯電話機が存在するか否かを判定し（ステップＳ２）、その時点で既に通話中の携帯電話機が存在しない旨を判定すると（ステップＳ２にて「ＮＯ」）、着信通知処理に移行する。
【００２９】
これに対して、制御部２は、その時点で既に通話中の携帯電話機が存在する旨を判定すると（ステップＳ２にて「ＹＥＳ」）、着信した携帯電話機から受信した識別情報と通話中の携帯電話機から受信した識別情報とが同じであるか否かに基づいて着信した携帯電話機と通話中にある携帯電話機とが同じであるか否かを判定する（ステップＳ３）。そして、制御部２は、着信した携帯電話機から受信した識別情報と通話中の携帯電話機から受信した識別情報とが同じである旨を判定し、着信した携帯電話機と通話中にある携帯電話機とが同じである旨を判定すると（ステップＳ３にて「ＹＥＳ」）、同機割込着信通知処理に移行する。また、制御部２は、着信した携帯電話機から受信した識別情報と通話中の携帯電話機から受信した識別情報とが異なる（同じでない）旨を判定し、着信した携帯電話機と通話中にある携帯電話機とが異なる旨を判定すると（ステップＳ３にて「ＮＯ」）、異機割込着信通知処理に移行する。
【００３０】
すなわち、同機割込着信通知処理とは、携帯電話機が車載ハンズフリー装置１との間でハンズフリープロファイルを接続しているときに、通話中にある携帯電話機と同じ携帯電話機が着信した場合に行う着信通知処理であり、異機割込着信通知処理とは、複数の携帯電話機の各々が車載ハンズフリー装置１との間でハンズフリープロファイルを接続しているときに、通話中にある携帯電話機とは異なる携帯電話機が着信した場合に行う着信通知処理である。
【００３１】
これ以降、異機割込着信通知処理について説明する。尚、ここでは、図４に示すように、携帯電話機２１が既に通話中にあるときに携帯電話機２２が着信した場合を説明する。すなわち、携帯電話機２１を本発明でいう一の携帯電話機とし、携帯電話機２２を本発明でいう他の携帯電話機として説明する。
【００３２】
制御部２は、異機割込着信通知処理に移行すると、その時点で異機割込着信通知を有効及び無効のいずれに設定しているかを判定する（ステップＳ１１）。ここで、制御部２は、異機割込着信通知を有効に設定している旨を判定すると（ステップＳ１１にて「ＹＥＳ」）、着信した携帯電話機２２から当該携帯電話機２２に登録されている着信音をＢＴインタフェース部３により受信したか否かを判定する（ステップＳ１２）。
【００３３】
ここで、制御部２は、着信した携帯電話機２２がインバンドリングトーンに対応している型であり、着信した携帯電話機２２から当該携帯電話機２２に登録されている着信音をＢＴインタフェース部３により受信した旨を判定すると（ステップＳ１２にて「ＹＥＳ」）、インバンドリングトーンフラグを「１」に設定し（ステップＳ１３）、その着信した携帯電話機２２からＢＴインタフェース部３により受信した着信音をスピーカ１１及びスピーカ１２から出力させることを禁止し（ステップＳ１４）、所定周波数帯域の単一音を着信音として着信音生成部８により生成し、その着信音生成部８により生成した着信音のスピーカ１１及びスピーカ１２からの出力を開始させる（ステップＳ１５）。
【００３４】
また、制御部２は、着信した携帯電話機２２がインバンドリングトーンに対応していない型であり、着信した携帯電話機２２から当該携帯電話機２２に登録されている着信音をＢＴインタフェース部３により受信しなかった旨を判定すると（ステップＳ１２にて「ＮＯ」）、インバンドリングトーンフラグを「０」に設定し（ステップＳ１６）、所定周波数帯域の単一音を着信音として着信音生成部８により生成し、その着信音生成部８により生成した着信音のスピーカ１１及びスピーカ１２からの出力を開始させる（ステップＳ１５）。
【００３５】
すなわち、この場合、スピーカ１１及びスピーカ１２からは、携帯電話機２１が通話中にあることにより受話音声が出力されると同時に、着信した携帯電話機２２から当該携帯電話機２２に登録されている着信音が受信された場合であっても、その着信した携帯電話機２２に登録されている着信音が出力されるのではなく、車載ハンズフリー装置１が自らで生成した着信音が出力されることになる。
【００３６】
次いで、制御部２は、携帯電話機２２への着信が終了したか否かを判定すると共に（ステップＳ１７）、携帯電話機２１の通話が終了したか否かを判定する（ステップＳ１８）。そして、制御部２は、携帯電話機２１の通話が終了する前に携帯電話機２２への着信が終了した旨を判定すると（ステップＳ１７にて「ＹＥＳ」）、着信音生成部８により生成した着信音のスピーカ１１及びスピーカ１２からの出力を終了させ（ステップＳ１９）、
携帯電話機２２が着信した旨の通知を終了し、リターンする。
【００３７】
これに対して、制御部２は、携帯電話機２２への着信が終了する前に携帯電話機２１の通話が終了した旨を判定すると（ステップＳ１８にて「ＹＥＳ」）、これよりも前に設定したインバンドリングトーンフラグが「１」であるか「０」であるかを判定する（ステップＳ２０）。そして、制御部２は、これよりも前に設定したインバンドリングトーンフラグが「１」である旨を判定し、着信した携帯電話機２２から当該携帯電話機２２に登録されている着信音を既に受信している旨を判定すると（ステップＳ２０にて「ＹＥＳ」）、着信音生成部８により生成した着信音のスピーカ１１及びスピーカ１２からの出力を終了させ（ステップＳ２１）、着信した携帯電話機２２からＢＴインタフェース部３により受信した着信音のスピーカ１１及びスピーカ１２からの出力を開始させ（ステップＳ２２）、リターンする。この場合、スピーカ１１及びスピーカ１２からは、車載ハンズフリー装置１が自らで生成した着信音が出力されることに代えて、着信した携帯電話機２２に登録されている着信音が出力されることになる。
【００３８】
一方、制御部２は、これよりも前に設定したインバンドリングトーンフラグが「０」である旨を判定し、着信した携帯電話機２２から当該携帯電話機２２に登録されている着信音を受信していない旨を判定すると（ステップＳ２０にて「ＮＯ」）、着信音生成部８により生成した着信音のスピーカ１１及びスピーカ１２からの出力をそのまま継続し、リターンする。この場合、スピーカ１１及びスピーカ１２からは、着信した携帯電話機２２に登録されている着信音が継続して出力されることになる。
【００３９】
また、制御部２は、異機割込着信通知を無効に設定している旨を判定すると（ステップＳ１１にて「ＮＯ」）、携帯電話機２１の通話が終了したか否かを判定し（ステップＳ２３）、携帯電話機２１の通話が終了した旨を判定すると（ステップＳ２３にて「ＹＥＳ」）、着信した携帯電話機２２から当該携帯電話機２２に登録されている着信音をＢＴインタフェース部３により受信したか否かを判定する（ステップＳ２４）。
【００４０】
そして、制御部２は、着信した携帯電話機２２がインバンドリングトーンに対応している型であり、着信した携帯電話機２２から当該携帯電話機２２に登録されている着信音をＢＴインタフェース部３により受信した旨を判定すると（ステップＳ２４にて「ＹＥＳ」）、着信した携帯電話機２２からＢＴインタフェース部３により受信した着信音のスピーカ１１及びスピーカ１２からの出力を開始させ（ステップＳ２５）、リターンする。この場合、スピーカ１１及びスピーカ１２からは、着信した携帯電話機２２に登録されている着信音が初めて出力されることになる。
【００４１】
これに対して、制御部２は、着信した携帯電話機２２がインバンドリングトーンに対応していない型であり、携帯電話機２２から当該携帯電話機２２に登録されている着信音をＢＴインタフェース部３により受信しなかった旨を判定すると（ステップＳ２４にて「ＮＯ」）、所定周波数帯域の単一音を着信音として着信音生成部８により生成し、その着信音生成部８により生成した着信音のスピーカ１１及びスピーカ１２からの出力を開始させ（ステップＳ２６）、リターンする。この場合、スピーカ１１及びスピーカ１２からは、車載ハンズフリー装置１が自らで生成した着信音が初めて出力されることになる。
【００４２】
ところで、制御部２は、例えば携帯電話機２１が既に通話中にあるときに当該携帯電話機２１が着信したことにより同機割込着信通知処理に移行すると、携帯電話網３１が提供している割込着信通知サービスの契約を携帯電話機２１が締結していれば、携帯電話網３１から送信された割込着信通知サービスで規定されている着信音をスピーカ１１及びスピーカ１２から出力させる。すなわち、この場合も、スピーカ１１及びスピーカ１２からは、携帯電話機２１が通話中にあることにより受話音声が出力されると同時に着信音が出力されることになるが、この場合に出力される着信音は、着信した携帯電話機２２に登録されている着信音や車載ハンズフリー装置１が自らで生成した着信音ではなく、割込着信通知サービスで規定されている着信音である。
【００４３】
このような背景から、異機割込着信通知処理においてスピーカ１１及びスピーカ１２から出力される車載ハンズフリー装置１が自らで生成する着信音は、同機割込着信通知処理においてスピーカ１１及びスピーカ１２から出力される着信音とは例えば周波数帯域や出力パターンが異なる方が望ましい。そのように構成すれば、単に着信をユーザに認識させることができるだけでなく、その着信が通話中にある携帯電話機とは異なる携帯電話機への着信であるのか或いは通話中にある携帯電話機への着信であるのかをユーザに認識させることができる。
【００４４】
尚、以上は、携帯電話機２１が既に通話中にあるときに携帯電話機２２が着信した場合を説明したが、これとは反対に、携帯電話機２２が既に通話中にあるときに携帯電話機２１が着信した場合も同様である。
【００４５】
以上に説明したように本実施形態によれば、車載ハンズフリー装置１において、ハンズフリープロファイルを同時に接続している携帯電話機２１が通話中にあるときに携帯電話機２２が着信すると、着信した携帯電話機２２から当該携帯電話機２２に登録されている着信音が受信された場合であっても、その着信した携帯電話機２２に登録されている着信音を出力させるのではなく、通話中にある携帯電話機２１から受信した受話音声を出力させると同時に、自機で生成した着信音を出力させるように構成したので、自機が生成する着信音として受話音声をユーザに聴き取らせるのに支障がなく且つ着信を通知し得る程度の着信音を登録しておくことにより、通話中にある携帯電話機２１から受信した受話音声を適切にユーザに聴き取らせることができると共に、携帯電話機２２が着信した旨をユーザに適切に認識させることができ、ユーザの使い勝手を高めることができる。
【００４６】
また、異機割込着信通知を有効に設定しておくことにより、通話中にある携帯電話機２１から受信した受話音声を適切にユーザに聴き取らせることができると共に、携帯電話機２２が着信した旨をユーザに適切に認識させることができ、一方、異機割込着信通知を無効に設定しておくことにより、携帯電話機２２が着信した旨をユーザに認識させないようにすることができ、ユーザを通話に専念させることができる。
【００４７】
さらに、携帯電話機２２への着信が継続しており携帯電話機２１が通話を終了すると、携帯電話機２２から当該携帯電話機２２に登録されている着信音を受信していれば、自機で生成した着信音を出力させることに代えて、携帯電話機２２から受信された当該携帯電話機２２に登録されている着信音を出力させるように構成したので、携帯電話機２２が着信した旨をユーザに確実に認識させることができる。
【００４８】
本発明は、上記した実施形態にのみ限定されるものではなく、以下のように変形または拡張することができる。
車載ハンズフリー装置１の機能が例えば車載ナビゲーション装置などの別の車載装置に組み込まれていても良い。
携帯電話機２１及び携帯電話機２２から車載ハンズフリー装置１に転送される着信音は、楽曲（いわゆる着信メロディ）であっても良い。
車載ハンズフリー装置１へのハンズフリー接続を許可する携帯電話機が予め登録される際に携帯電話機の電話機情報と着信音とが対応付けて登録されることにより、着信音生成部８により生成される着信音が携帯電話機毎に区別されても良い。
【図面の簡単な説明】
【００４９】
【図１】本発明の一実施形態を示す機能ブロック図
【図２】フローチャート（その１）
【図３】フローチャート（その２）
【図４】処理の流れを示すシーケンス図
【符号の説明】
【００５０】
図面中、１は車載ハンズフリー装置、２は制御部（制御手段、異機割込着信通知設定手段）、３はＢＴインタフェース部（ハンズフリー接続手段、着信音受信手段）、８は着信音生成部（着信音生成手段）、１１，１２はスピーカ（受話音声出力手段、着信音出力手段）、１６はタッチ操作入力装置（異機割込着信通知選択操作手段、着信音選択操作手段）、２１，２２は携帯電話機、３１は携帯電話網（通信網）である。
【図１】
0005146026.tif 000002
【図２】
0005146026.tif 000003
【図３】
0005146026.tif 000004
【図４】
0005146026.tif 000005